Podtech/llm-jp-corpus-v4-ja_patent huggingface dataset:
【手続補正書】
【提出日】平成25年11月15日(2013.11.15)
【手続補正１】
【補正対象書類名】特許請求の範囲
【補正対象項目名】全文
【補正方法】変更
【補正の内容】
【特許請求の範囲】
【請求項１】
悪心および嘔吐の治療が必要とされる患者において悪心および嘔吐を治療するための医薬組成物であって、前記患者に経口投与され、０．２５から０．７５ｍｇのパロノセトロンまたは薬学的に許容可能なその塩及び２００から４００ｍｇのネツピタントまたは薬学的に許容可能なその塩を含む、前記医薬組成物。
【請求項２】
０．５ｍｇの遊離塩基としてのパロノセトロンに対応する０．５６ｍｇのパロノセトロン塩酸塩及び約３００ｍｇの遊離塩基としてのネツピタントを含む、請求項１に記載の医薬組成物。
【請求項３】
化学療法の前に１２ｍｇのデキサメタゾンと同時投与される、請求項１に記載の医薬組成物。
【請求項４】
高度または中程度に催吐性の化学療法からの化学療法誘発性悪心および嘔吐を５日間連続で治療するための請求項１に記載の医薬組成物。
【請求項５】
０．２５から０．７５ｍｇのパロノセトロンまたは薬学的に許容可能なその塩及び２００から４００ｍｇのネツピタントまたは薬学的に許容可能なその塩を含む経口薬剤。
【請求項６】
０．５ｍｇの遊離塩基としてのパロノセトロンに対応する０．５６ｍｇのパロノセトロン塩酸塩及び約３００ｍｇの遊離塩基としてのネツピタントを含む、請求項５に記載の経口薬剤。
【請求項７】
カプセル剤の形態である請求項５に記載の経口薬剤。
【請求項８】
経口投与カプセル剤形であって：
ａ）外部シェル；
ｂ）前記外部シェル内に収容された１個以上の錠剤（それぞれが、ネツピタントまたは薬学的に許容可能なその塩および１種以上の薬学的に許容可能な賦形剤を含む）；ならびに
ｃ）前記外部シェル内に収容された１個以上の軟質ゲルカプセル剤（それぞれが、パロノセトロンまたは薬学的に許容可能なその塩および１種以上の薬学的に許容可能な賦形剤を含む）
を含み；
前記剤形が、（３Ｓ）−３−［（３ａＳ）−１−オキソ−２，３，３ａ，４，５，６−ヘキサヒドロ−１Ｈ−ベンゾ［ｄｅ］イソキノリン−２−イル］−１−アゾニアビシクロ［２．２．２］オクタン−１−オレートを３重量％を超過しない量で含む、前記経口投与カプセル剤形。
【請求項９】
０．５６ｍｇのパロノセトロン塩酸塩及び３００ｍｇのネツピタントを含む、請求項８に記載のカプセル剤。
【請求項１０】
０．５６ｍｇのパロノセトロン塩酸塩及び３００ｍｇのネツピタントを含み、３個のネツピタントの１００ｍｇ錠剤及び１個のパロノセトロン塩酸塩の軟質ゲルカプセル剤を含む、請求項８に記載のカプセル剤。
【手続補正書】
【提出日】平成25年11月22日(2013.11.22)
【手続補正１】
【補正対象書類名】特許請求の範囲
【補正対象項目名】全文
【補正方法】変更
【補正の内容】
【特許請求の範囲】
【請求項１】
溶出バッファーを用いて陰イオン交換クロマトグラフィーを行う工程を含む、PEG化タンパク質の精製方法であって、前記クロマトグラフィーは、溶出の前に不純物除去工程を含むことを特徴とし、前記不純物除去工程は、酸性バッファーを用いて前記陰イオン交換カラムを洗浄する工程を含む、方法。
【請求項２】
前記不純物がST3Gal3である、請求項1に記載の方法。
【請求項３】
不純物除去工程が3.9から4.5の間のpHで酸性バッファーを用いて洗浄する工程を含む、請求項1または2に記載の方法。
【請求項４】
酸性バッファーが、酢酸ナトリウムおよび／または酢酸を含む、請求項1から3のいずれか一項に記載の方法。
【請求項５】
平衡工程が酸性洗浄工程の前に実施される、請求項1から4のいずれか一項に記載の方法。
【請求項６】
平衡工程が5から7のpHでの平衡バッファーの適用を含む、請求項5に記載の方法。
【請求項７】
平衡バッファーが、酢酸および酢酸ナトリウムを含む、請求項5または6に記載の方法。
【請求項８】
PEG化タンパク質が、第II因子(FII), 第VII因子(FVII), 第IX因子(FIX), 第X因子(FX), プロテインSおよびプロテインCから選択される、請求項1から7のいずれか一項に記載の方法。
【請求項９】
陰イオン交換物質がHQを含む、請求項1から8のいずれか一項に記載の方法。
【請求項１０】
請求項1から9のいずれか一項に記載の方法によって得ることができる精製PEG化タンパク質。
【請求項１１】
実質的にST3Gal3が存在しない、請求項10に記載の精製PEG化タンパク質。
【請求項１２】
実質的にCMP-NANが存在しない、請求項10または11に記載の精製PEG化タンパク質。
【請求項１３】
請求項10から12のいずれか一項に記載の精製PEG化タンパク質を含む医薬組成物。
【請求項１４】
治療上有効量の、請求項10から12のいずれか一項に記載の精製PEG化タンパク質を含む、血友病の治療用の医薬組成物。
【請求項１５】
前記精製PEG化タンパク質が、請求項1から9のいずれか一項に記載の方法によって得ることができる精製第IX因子である、請求項13または14に記載の医薬組成物。
【手続補正書】
【提出日】平成25年11月21日(2013.11.21)
【手続補正１】
【補正対象書類名】特許請求の範囲
【補正対象項目名】全文
【補正方法】変更
【補正の内容】
【特許請求の範囲】
【請求項１】
癌細胞がEGFRを発現または過剰発現する、被験体における癌を治療するための医薬の製造における、EGFRおよび／またはそのシグナル伝達経路に選択的または特異的なチロシンキナーゼインヒビターと、miR-7 miRNA、その前駆体もしくは変異体、配列GGAAGAを含むシード領域を含むmiRNA、または該miRNAの発現もしくは活性を刺激もしくは亢進することができる薬剤の使用。
【請求項２】
治療をしない場合、癌がチロシンキナーゼに対する耐性を提示する、請求項１に記載の使用。
【請求項３】
EGFRを発現する癌は、頭頚部癌、グリア芽細胞腫、膵臓癌、結腸癌、結腸直腸癌、鼻咽頭癌、子宮癌、頚部癌、食道癌、胃癌、腎癌、膀胱癌、非小細胞肺癌を含む肺癌、前立腺癌、乳癌、肝臓癌、神経芽細胞腫及び黒色腫からなる群から選択される、請求項１または２に記載の使用。
【請求項４】
チロシンキナーゼインヒビターはエルロチニブおよびAG1478からなる群から選択される、請求項１〜３のいずれか1項に記載の使用。
【請求項５】
miR-7 miRNAはhsa-miR-7でありおよび配列番号1に記載のヌクレオチド配列を含む、請求項１〜４のいずれか1項に記載の使用。
【請求項６】
miR-7 miRNA前駆体はhsa-miR-7-1、hsa-miR-7-2およびhsa-miR-7-3からなる群より選択され、および配列番号2〜4のいずれか1つに記載の配列を含む、請求項１〜４のいずれか1項に記載の使用。
【請求項７】
癌細胞がEGFRを発現または過剰発現する、被験体における癌を治療するための医薬の製造における、miR-7 miRNA、その前駆体もしくは変異体、配列GGAAGAを含むシード領域を含むmiRNA、または該miRNAの発現もしくは活性を刺激もしくは亢進することができる薬剤の使用であって、該医薬が、EGFRおよび／またはそのシグナル伝達経路に選択的または特異的なチロシンキナーゼインヒビターあるいはそれを含む医薬と併用することが意図される、上記使用。
【請求項８】
miR-7 miRNA、その前駆体もしくは変異体、配列GGAAGAを含むシード領域を含むmiRNA、または該miRNAの発現もしくは活性を刺激もしくは亢進することができる薬剤を含む医薬が、EGFRおよび／またはそのシグナル伝達経路に選択的または特異的なチロシンキナーゼインヒビターあるいはそれを含む医薬よりも前に投与されることが意図される、請求項７に記載の使用。
【請求項９】
治療が腫瘍成長、癌転移または再発を予防または軽減することを含む、請求項１〜８のいずれか１項に記載の使用。
【請求項１０】
上皮成長因子受容体（EGFR）を発現する疾患細胞を、EGFRおよび／またはそのシグナル伝達経路に選択的または特異的なチロシンキナーゼインヒビターに対して増感するために使用される、miR-7 miRNA、その前駆体もしくは変異体、配列GGAAGAを含むシード領域を含むmiRNA、または該miRNAの発現もしくは活性を刺激もしくは亢進することができる薬剤の使用。
【請求項１１】
疾患細胞が癌細胞である、請求項１０に記載の使用。
【請求項１２】
前記増感は、miRNAの非存在のもとで要する細胞分裂停止または細胞傷害の用量より低い細胞分裂停止または細胞傷害の用量のチロシンキナーゼインヒビターに対して、細胞を感受性にする、請求項１０または請求項１１に記載の使用。
【請求項１３】
チロシンキナーゼインヒビターがエルロチニブおよびAG1478からなる群より選択される、請求項１０〜１２のいずれか1項に記載の使用。
【請求項１４】
miR-7 miRNAがhsa-miR-7であって、配列番号1に記載のヌクレオチド配列を含むものである、請求項１０〜１３のいずれか1項に記載の使用。
【請求項１５】
miR-7 miRNA前駆体がhsa-miR-7-1、hsa-miR-7-2およびhsa-miR-7-3からなる群より選択されて、配列番号2〜4のいずれか1つに記載の配列を含むものである、請求項１０〜１４のいずれか1項に記載の使用。
【請求項１６】
治療をしない場合、疾患細胞がチロシンキナーゼに対する耐性を提示する、請求項１０〜１５のいずれか1項に記載の使用。
【請求項１７】
疾患細胞が、頭頚部癌細胞、グリア芽細胞腫細胞、膵臓癌細胞、結腸癌細胞、結腸直腸癌細胞、鼻咽頭癌細胞、子宮癌細胞、頚部癌細胞、食道癌細胞、胃癌細胞、腎癌細胞、膀胱癌細胞、非小細胞肺癌を含む肺癌細胞、前立腺癌細胞、乳癌細胞、肝臓癌細胞、神経芽細胞腫細胞、及び黒色腫細胞からなる群から選択される、請求項１０〜１６のいずれか1項に記載の使用。
【請求項１８】
腫瘍成長、癌転移または再発を予防または軽減するための医薬の製造における、EGFRおよび／またはそのシグナル伝達経路に選択的または特異的なチロシンキナーゼインヒビターと、miR-7 miRNA、その前駆体もしくは変異体、配列GGAAGAを含むシード領域を含むmiRNA、または該miRNAの発現もしくは活性を刺激もしくは亢進することができる薬剤の使用。
【手続補正書】
【提出日】平成25年11月21日(2013.11.21)
【手続補正１】
【補正対象書類名】特許請求の範囲
【補正対象項目名】全文
【補正方法】変更
【補正の内容】
【特許請求の範囲】
【請求項１】
薬剤として使用される組成物であって、
前記組成物は、１つまたはそれより多くの核酸構築物と薬学的に許容される賦形剤とを含み、
前記核酸構築物は、少なくとも１つの非ポックスウイルスペプチドに結合する少なくとも１つのポックスウイルス分泌シグナル配列をコードする改変または弱毒化されたワクシニアウイルス構築物を含み、
前記１つまたはそれより多くの核酸構築物の発現は、被験体において免疫応答を誘導することが可能である、
組成物。
【請求項２】
前記非ポックスウイルスペプチドが、細菌、ウイルス、哺乳動物、真菌類、原生生物、非病原性生物、またはそれらの組み合わせに由来する、請求項１に記載の組成物。
【請求項３】
前記非ポックスウイルスペプチドが、ウイルスを含み、前記ウイルスの非ポックスウイルスペプチドが、インフルエンザ遺伝子セグメントまたはそのフラグメントを含む、請求項１に記載の組成物。
【請求項４】
前記インフルエンザ遺伝子セグメントが、血球凝集素（ＨＡ）、ノイラミニダーゼ（Ｎ）、核タンパク質（ＮＰ）、マトリックス（Ｍ）ポリメラーゼ（Ｐ）、またはそれらのフラグメント、またはそれらの組み合わせを含み、前記フラグメントは、インフルエンザ遺伝子セグメントの少なくとも６つの連続したアミノ酸を含む、請求項３に記載の組成物。
【請求項５】
前記ポックスウイルス分泌シグナル配列が、Ｃ１３、Ｂ８Ｒ、または任意の他のポックスウイルス分泌シグナル配列を含む、請求項１に記載の組成物。
【請求項６】
前記構築物が、改変されたワクシニアアンカラ（ＭＶＡ）をさらに含む、請求項１に記載の組成物。
【請求項７】
１つまたはそれより多くの翻訳調節配列をさらに含む、請求項１に記載の組成物。
【請求項８】
被験体に投与するためのワクチン組成物を作製するための方法であって、
１つまたはそれより多くの改変または弱毒化されたワクシニアウイルス構築物を得る工程；および
少なくとも１つの非ポックスウイルスペプチドに結合する少なくとも１つのポックスウイルス分泌シグナル配列を、前記構築物に導入する工程であって、前記少なくとも１つの非ポックスウイルスペプチドのうちの少なくとも１つが、インフルエンザ遺伝子セグメントを含む、工程
を含み、
前記ワクチン組成物は、前記被験体において免疫応答を誘導することが可能である、方法。
【請求項９】
前記インフルエンザ遺伝子セグメントが、血球凝集素（ＨＡ）、ノイラミニダーゼ（Ｎ）、核タンパク質（ＮＰ）、マトリックス（Ｍ）、またはそれらの組み合わせを含む、請求項８に記載の方法。
【請求項１０】
被験体において免疫応答を誘導するための方法に使用するための請求項１に記載の組成物であって、前記方法は前記被験体に第一の組成物を投与する工程を含み、前記組成物は請求項１に記載の組成物を含む、組成物。
【請求項１１】
請求項１０に記載の組成物であって、
前記方法は、さらに、前記被験体に第二の組成物を投与する工程であって、前記第二の組成物は、少なくとも１つのポックスウイルス分泌シグナル配列および少なくとも１つの非ポックスウイルスペプチドをコードする改変または弱毒化されたワクシニアウイルス構築物を含み、前記少なくとも１つの非ポックスウイルスペプチドのうちの少なくとも１つは前記第一の組成物中の非ポックスウイルスペプチドとは異なる、工程
を含み、
前記組成物は、前記被験体において免疫応答を誘導することが可能である、
組成物。
【請求項１２】
前記ワクシニアウイルスが、改変されたワクシニアアンカラ（ＭＶＡ）を含む、請求項１１に記載の組成物。
【請求項１３】
前記第一の組成物が、前記第二の組成物の投与の６ヶ月前から前記第二の組成物の投与の直前までの間に前記被験体に投与される、請求項１１に記載の組成物。
【請求項１４】
ポックスウイルスへの事前の曝露を有する被験体において免疫応答を誘導するための方法に使用するための請求項１に記載の組成物であって、
前記方法は、前記被験体に組成物を投与する工程を含み、前記組成物は、ポックスウイルスおよび少なくとも１つの非ポックスウイルスペプチドに結合する少なくとも１つのポックスウイルス分泌シグナルをコードする改変または弱毒化されたワクシニアウイルス構築物と薬学的に許容される賦形剤とを含み、前記ワクシニアウイルスが、改変されたワクシニアアンカラ（ＭＶＡ）を含み、
前記構築物の発現は、ポックスウイルスへの事前の曝露を有する前記被験体において免疫応答を誘導することが可能である、組成物。
【請求項１５】
前記組成物の第二投与の６ヶ月前から前記組成物の第二投与の直前までの間に、前記組成物のブーストを投与する工程をさらに含む、請求項１４に記載の組成物。
【請求項１６】
前記組成物の投与が、皮内投与を含む、請求項１４に記載の組成物。
【請求項１７】
ワクチンキットであって、
請求項１〜８のいずれか一項に記載の組成物、および
少なくとも１つの容器
を含む、ワクチンキット。
【請求項１８】
前記非ポックスウイルスペプチドのうちの少なくとも１つが、１つまたはそれより多くのインフルエンザウイルス遺伝子セグメントを含む、請求項１７に記載のキット。
【手続補正書】
【提出日】平成25年11月21日(2013.11.21)
【手続補正１】
【補正対象書類名】特許請求の範囲
【補正対象項目名】全文
【補正方法】変更
【補正の内容】
【特許請求の範囲】
【請求項１】
上皮成長因子受容体（EGFR）リガンドの発現または活性の調節不全に関連する疾患または症状を治療するための医薬の製造におけるmiR-7 miRNA、その前駆体または変異体、配列GGAAGAを含むシード領域を含むmiRNA、またはいずれかのかかるmiRNAのアンタゴニストの使用であって、該miRNAがEGFRリガンドの発現の発現及び／又は活性をモジュレートする、上記使用。
【請求項２】
前記疾患または症状がEGFRリガンドの発現または活性のアップレギュレーションまたは亢進に関連するものであって、前記治療が有効量のmiR-7 miRNA、その前駆体または変異体、配列GGAAGAを含むシード領域を含むmiRNAを投与することを含む、請求項１に記載の使用。
【請求項３】
miR-7 miRNAが配列番号1に記載のヌクレオチド配列を含む、請求項１または２に記載の使用。
【請求項４】
miR-7 miRNA前駆体が配列番号2〜4のいずれか1つに記載の配列を含む、請求項１または２に記載の使用。
【請求項５】
EGFRリガンドをコードするmRNAの3'非翻訳領域が１以上のmiRNA結合部位を含む、請求項１〜４のいずれか1項に記載の使用。
【請求項６】
miRNA結合部位が配列番号6〜11のいずれか1つに記載の配列を含む、請求項５に記載の使用。
【請求項７】
EGFRリガンドがTGFαまたはHB-EGFである、請求項１〜６のいずれか1項に記載の使用。
【請求項８】
TGFαをコードするmRNAが配列番号12に記載の配列、またはその変異体を含む3'非翻訳領域を含む、請求項７に記載の使用。
【請求項９】
疾患または症状が癌である、請求項１〜８のいずれか1項に記載の使用。
【請求項１０】
癌が頭頸部癌、グリア芽細胞腫、膵臓癌、結腸癌、肺癌、前立腺癌、乳癌、肝臓癌、神経芽細胞腫及び黒色腫からなる群より選択される、請求項９に記載の使用。
【請求項１１】
癌が頭頸部癌である、請求項１０に記載の使用。
【請求項１２】
被験体における腫瘍成長、癌転移または再発を軽減するための医薬の製造における、miR-7 miRNA、その前駆体または変異体、配列GGAAGAを含むシード領域を含むmiRNA、またはいずれかのかかるmiRNAのアンタゴニストの使用であって、該腫瘍または癌がEGFRリガンドの発現または活性のアップレギュレーションまたは亢進に関連し、該miRNAがEGFRリガンドの発現および／または活性をモジュレートする、上記使用。
【手続補正書】
【提出日】平成25年11月20日(2013.11.20)
【手続補正１】
【補正対象書類名】特許請求の範囲
【補正対象項目名】全文
【補正方法】変更
【補正の内容】
【特許請求の範囲】
【請求項１】
有効な量のニトロキシル供与体を含有する肺高血圧症の治療用医薬組成物。
【請求項２】
ニトロキシル供与体が、式Ｉ
【化１】
2013511556.tif 000001
で表される化合物またはその薬学的に許容し得る塩であり、式中：
Ｒ１は、Ｈであり；
Ｒ２は、Ｈであり；
Ｒ３、Ｒ４、Ｒ５、Ｒ６およびＲ７は、独立してＨ、ハロ、アルキルスルホニル、Ｎ−ヒドロキシルスルホンアミジル、パーハロアルキル、ニトロ、アリール、シアノ、アルコキシ、パーハロアルコキシ、アルキル、置換アリールオキシ、アルキルスルファニル、アルキルスルフィニル、ヘテロシクロアルキル、置換ヘテロシクロアルキル、ジアルキルアミノ、シクロアルコキシ、シクロアルキルスルファニル、アリールスルファニルおよびアリールスルフィニルから選択される、
請求項１に記載の医薬組成物。
【請求項３】
有効な量が約１ｇ／ｋｇ／ｄ未満である、請求項２に記載の医薬組成物。
【請求項４】
静脈内に投与される、請求項２または３に記載の医薬組成物。
【請求項５】
経口的に投与される、請求項２または３に記載の医薬組成物。
【請求項６】
吸入によって投与される、請求項２または３に記載の医薬組成物。
【請求項７】
ヒトに投与される、請求項２〜６のいずれか一項に記載の医薬組成物。
【請求項８】
肺高血圧症が肺動脈高血圧症である、請求項２〜７のいずれか一項に記載の医薬組成物。
【請求項９】
肺高血圧症が左心疾患による肺高血圧症である、請求項２〜７のいずれか一項に記載の医薬組成物。
【請求項１０】
左心疾患が左心不全である、請求項９に記載の医薬組成物。
【請求項１１】
左心不全が収縮心不全である、請求項１０に記載の医薬組成物。
【請求項１２】
左心不全が拡張心不全である、請求項１０に記載の医薬組成物。
【請求項１３】
左心不全が慢性的に、または急性的に非代償である、請求項１０に記載の医薬組成物。
【請求項１４】
肺高血圧症が慢性血栓塞栓性肺高血圧症である、請求項２〜７のいずれか一項に記載の医薬組成物。
【請求項１５】
Ｒ３およびＲ７の一方は、Ｈ以外であり；
Ｒ３、Ｒ４、Ｒ５、Ｒ６およびＲ７の少なくとも１つは、ハロ以外であり；
Ｒ３またはＲ７の一方がハロであり、ハロではないＲ３またはＲ７がＨであり、Ｒ４またはＲ６の一方がハロであり、ハロではないＲ４またはＲ６がＨである場合には、Ｒ５はハロまたは水素以外であり；
Ｒ４、Ｒ５およびＲ６がＨであり、Ｒ３およびＲ７の一方がＨである場合には、ＨではないＲ３またはＲ７はニトロまたはアルキル以外であり；また
Ｒ４およびＲ６がＨであり、Ｒ３およびＲ７がアルキルである場合には、Ｒ５はアルキル以外である、
請求項２〜１４のいずれか一項に記載の医薬組成物。
【請求項１６】
Ｒ３がハロ、アルキルスルホニル、パーハロアルキル、低級アルキル、ニトロまたはシアノである、
請求項２〜１４のいずれか一項に記載の医薬組成物。
【請求項１７】
Ｒ３がハロ、アルキルスルホニル、パーハロアルキル、低級アルキル、ニトロまたはシアノであり；また
Ｒ４、Ｒ５、Ｒ６およびＲ７の少なくとも３つがＨである、
請求項２〜１４のいずれか一項に記載の医薬組成物。
【請求項１８】
Ｒ３がハロ、アルキルスルホニル、パーハロアルキル、低級アルキル、ニトロまたはシアノであり；また
Ｒ４、Ｒ５、Ｒ６およびＲ７がＨである、
請求項２〜１４のいずれか一項に記載の医薬組成物。
【請求項１９】
Ｒ３がハロ、メチルスルホニル、パーフルオロメチル、パーフルオロメトキシ、イソプロピル、ニトロまたはシアノである、請求項２〜１４のいずれか一項に記載の医薬組成物。
【請求項２０】
Ｒ３がハロ、メチルスルホニル、パーフルオロメチル、パーフルオロメトキシ、イソプロピル、ニトロまたはシアノであり；また
Ｒ４、Ｒ５、Ｒ６およびＲ７の少なくとも３つがＨである、
請求項２〜１４のいずれか一項に記載の医薬組成物。
【請求項２１】
Ｒ３がハロ、メチルスルホニル、パーフルオロメチル、パーフルオロメトキシ、イソプロピル、ニトロまたはシアノであり；また
Ｒ４、Ｒ５、Ｒ６およびＲ７がＨである、
請求項２〜１４のいずれか一項に記載の医薬組成物。
【請求項２２】
化合物が、以下のもの：
２，６−ジクロロ−Ｎ−ヒドロキシベンゼンスルホンアミド；
２−ブロモ−４−フルオロ−Ｎ−ヒドロキシベンゼンスルホンアミド；
２，５−ジ−トリフルオロメチル−Ｎ−ヒドロキシベンゼンスルホンアミド；
２−クロロ−４−フルオロ−Ｎ−ヒドロキシベンゼンスルホンアミド；
２，３−ジクロロ−Ｎ−ヒドロキシベンゼンスルホンアミド；
２−クロロ−４−ブロモ−Ｎ−ヒドロキシベンゼンスルホンアミド；
２−ニトロ−４−トリフルオロメチル−Ｎ−ヒドロキシベンゼンスルホンアミド；
２−ヨード−Ｎ−ヒドロキシベンゼンスルホンアミド；
Ｎ−ヒドロキシ−２−メタンスルホニルベンゼンスルホンアミド；
２，４−ジ−ブロモ−Ｎ−ヒドロキシベンゼンスルホンアミド；
２−クロロ−４−トリフルオロメチル−Ｎ−ヒドロキシベンゼンスルホンアミド；
２，４，６−トリ−イソプロピル−Ｎ−ヒドロキシベンゼンスルホンアミド；
２，４−ジ−フルオロ−Ｎ−ヒドロキシベンゼンスルホンアミド；
２−フルオロ−Ｎ−ヒドロキシベンゼンスルホンアミド；
２−ブロモ−Ｎ−ヒドロキシベンゼンスルホンアミド；
２−（トリフルオロメチル）−Ｎ−ヒドロキシベンゼンスルホンアミド；
Ｎ−ヒドロキシ−２−フェニルベンゼンスルホンアミド；および
その薬学的に許容し得る塩
から選択される、請求項２〜１４のいずれか一項に記載の医薬組成物。
【請求項２３】
化合物が２−ヨード−Ｎ−ヒドロキシベンゼンスルホンアミドである、請求項２〜１４のいずれか一項に記載の医薬組成物。
【請求項２４】
化合物がＮ−ヒドロキシ−２−メタンスルホニルベンゼンスルホンアミドである、請求項２〜１４のいずれか一項に記載の医薬組成物。
【請求項２５】
化合物が２−フルオロ−Ｎ−ヒドロキシベンゼンスルホンアミドである、請求項２〜１４のいずれか一項に記載の医薬組成物。
【請求項２６】
化合物が２−クロロ−Ｎ−ヒドロキシベンゼンスルホンアミドである、請求項２〜１４のいずれか一項に記載の医薬組成物。
【請求項２７】
化合物が２−ブロモ−Ｎ−ヒドロキシベンゼンスルホンアミドである、請求項２〜１４のいずれか一項に記載の医薬組成物。
【請求項２８】
化合物が２−（トリフルオロメチル）−Ｎ−ヒドロキシベンゼンスルホンアミドである、請求項２〜１４のいずれか一項に記載の医薬組成物。
【手続補正書】
【提出日】平成25年11月13日(2013.11.13)
【手続補正１】
【補正対象書類名】特許請求の範囲
【補正対象項目名】全文
【補正方法】変更
【補正の内容】
【特許請求の範囲】
【請求項１】
増大したレベルのホスホエノールピルビン酸カルボキシキナーゼ活性、およびピルビン酸キナーゼ活性をコードするｐｙｋＡ遺伝子またはそのホモログの欠失を含む、非天然に生じる微生物。
【請求項２】
さらにＰＥＰ−依存性ホスホトランスフェラーゼ系の機能を減少させる１または複数の遺伝学的修飾を含む、請求項１の非天然に生じる微生物。
【請求項３】
さらに
（ａ）  ＰＥＰ−依存性ホスホトランスフェラーゼ系の機能を減少させる１または複数の遺伝学的修飾、および
（ｂ）  少なくとも１つの非−ＰＴＳ糖輸送体の活性を増大させる１または複数の遺伝学的修飾
を含む、請求項１の非天然に生じる微生物。
【請求項４】
前記非−ＰＴＳ糖輸送体が、ガラクトースパーミアーゼである、請求項３の非天然に生じる微生物。
【請求項５】
ガラクトースパーミアーゼの活性における増大が、１または複数の変異を通じてリプレッサーの陰性制御を軽減することによって達成される、請求項４の非天然に生じる微生物。
【請求項６】
ガラクトースパーミアーゼの前記リプレッサーが、ｇａｌＳまたはｇａｌＲ遺伝子によってコードされる、請求項５の非天然に生じる微生物。
【請求項７】
さらにＲＮＡポリメラーゼサブユニットをコードする遺伝子における変異を含む、請求項１の非天然に生じる微生物。
【請求項８】
ＲＮＡポリメラーゼのサブユニットをコードする遺伝子が、ｒｐｏＡ遺伝子である、請求項７の非天然に生じる微生物。
【請求項９】
ＲＮＡポリメラーゼのサブユニットをコードする遺伝子が、ｒｐｏＣ遺伝子である、請求項７の非天然に生じる微生物。
【請求項１０】
さらに染色体のＤＮＡにおける欠失を含み、ここで、前記欠失が、ｙｄｃＣ、ｙｄｃＤ、ｙｄｃＥ、およびｙｄｃＦ遺伝子を除去する、請求項１の非天然に生じる微生物。
【請求項１１】
さらにｆｔｓＩ遺伝子における変異を含む、請求項１の非天然に生じる微生物。
【請求項１２】
さらにｇｌｄＡ遺伝子における変異を含む、請求項１の非天然に生じる微生物。
【請求項１３】
さらに、ｄｈａＫＬＭオペロンまたはＰＴＳ−依存性ジヒドロキシアセトンキナーゼのサブユニットをコードする遺伝子における変異を含む、請求項１の非天然に生じる微生物。
【請求項１４】
（ａ）  増大したレベルのホスホエノールピルビン酸カルボキシキナーゼ活性、およびピルビン酸キナーゼ活性をコードするｐｙｋＡ遺伝子またはそのホモログの欠失を含む、微生物を培養すること、
（ｂ）  炭素源を提供すること、
（ｃ）  前記微生物に前記炭素源を代謝させることを可能にすること、および
（ｄ）  随意的に、コハク酸を単離すること
を含む、コハク酸を生産する方法。
【手続補正書】
【提出日】平成25年11月22日(2013.11.22)
【手続補正１】
【補正対象書類名】特許請求の範囲
【補正対象項目名】全文
【補正方法】変更
【補正の内容】
【特許請求の範囲】
【請求項１】
喫煙物品（１０、２０、３０、４０、５０）のフィルタ（１４）に使用するフィルタセグメント（１６）であって、前記フィルタセグメント（１６）が、少なくとも１つの煙改質剤が充填された非層状基材（２０）を含み、前記非層状基材（２０）が、前記フィルタセグメント（１６）の本体内に配置され、少なくとも約３０００コレスタ単位の通気性を有するフィルタプラグラップから形成される、フィルタセグメント（１６）。
【請求項２】
前記非層状基材（２０）が、約５０００コレスタ単位と約３００００コレスタ単位の間の通気性を有するフィルタプラグラップから形成される、請求項１に記載のフィルタセグメント（１６）。
【請求項３】
前記非層状基材（２０）が、約６０００コレスタ単位と約２４０００コレスタ単位の間の通気性を有するフィルタプラグラップから形成される、請求項２に記載のフィルタセグメント（１６）。
【請求項４】
前記非層状基材（２０）が、約１０ｇ／ｍ2と約８０ｇ／ｍ2の間の坪量を有するフィルタプラグラップから形成される、請求項１、請求項２、又は請求項３に記載のフィルタセグメント（１６）。
【請求項５】
前記非層状基材（２０）にメントールが充填される、請求項１から請求項４の何れかに記載のフィルタセグメント（１６）。
【請求項６】
前記非層状基材（２０）が着色される、前記請求項の何れかに記載のフィルタセグメント（１６）。
【請求項７】
前記非層状基材（２０）が、フィルタプラグラップの１つ又はそれ以上のストリップから形成されたスレッドである、前記請求項の何れかに記載のフィルタセグメント（１６）。
【請求項８】
前記非層状基材（２０）が、約０．５ｍｍと約３ｍｍの間の直径を有する、請求項７に記載のフィルタセグメント（１６）。
【請求項９】
前記非層状基材（２０）が、前記フィルタセグメント（１６）の前記本体内で軸方向に延びる、請求項７又は請求項８に記載のフィルタセグメント（１６）。
【請求項１０】
請求項１から請求項９の何れか１つの請求項に記載のフィルタセグメント（１６）を含む、喫煙物品（１０、２０、３０、４０、５０）のためのフィルタ（１４）。
【請求項１１】
請求項１ないし請求項１０のいずれか１つの請求項に記載のフィルタ（１４）を含む、喫煙物品（１０、２０、３０、４０、５０）。
【手続補正書】
【提出日】平成25年11月8日(2013.11.8)
【手続補正１】
【補正対象書類名】特許請求の範囲
【補正対象項目名】全文
【補正方法】変更
【補正の内容】
【特許請求の範囲】
【請求項１】
投与量送出装置であって、
ハウジングと、
投与量セレクターと、
押しボタンと、
投与量設定中には回転せず注射中には回転するピストンロッドと、
前記ピストンロッドと螺合するドライバーと、
を備え、
前記投与量セレクターを回転させることによって投与量を設定することができ、それによって、前記押しボタンを、前記ハウジングに対して固定された位置から前記設定した投与量に比例する距離だけ前記装置の一端部から上昇させ、
前記押しボタンをその非上昇位置に押し戻すことによって前記設定した投与量を注射することができ、この動きにより、前記ピストンロッド及び前記ドライバーは、少なくとも前記押しボタンの最初の移動の後に同じ距離を移動し、
前記ドライバーは、投与量を設定するときには螺旋経路を辿り、前記設定した投与量を注射するときには前記ピストンロッドと一緒に同じ螺旋経路を反対方向へ辿ることを特徴とする、投与量送出装置。
【請求項２】
前記投与量セレクター及び前記押しボタンは１つの一体部品として形成される、請求項１に記載の投与量送出装置。
【請求項３】
前記設定した投与量の量を表示する数字付きの目盛りドラムが、前記ドライバーに対して回転係止されていると共に、前記押しボタンに軸線方向に係止されている、請求項１又は２に記載の投与量送出装置。
【請求項４】
数字付きのバレルが、前記ハウジング内の第１のピッチを有する第１のねじ山と、前記ドライバーの第２のピッチを有する第２のねじ山とに係合しており、前記第２のピッチは前記第１のピッチよりも高い、請求項１又は２に記載の投与量送出装置。
【請求項５】
ラチェットアームが前記数字付きの目盛りドラムに設けられており、前記ラチェットアームは、投与量が注射され且つ前記押しボタンが最初の距離を移動されるときに、前記ラチェットアームが注射の終わりにおいて突起を通り越すが、圧力が前記押しボタンから除去されて前記押しボタンがもはや最初の距離を移動されないときに、前記ラチェットアームが前記ハウジング内の前記突起を通過し且つ新たな投与量を設定することができるように、前記ハウジング内の前記突起と協働する、請求項３に記載の投与量送出装置。
【請求項６】
前記投与量セレクターは、投与量設定中には前記ドライバーに回転結合され、注射中には分離される、請求項１に記載の投与量送出装置。
【請求項７】
前記投与量セレクターは、前記ハウジング内での回転時に前記装置の中心軸の周りに等間隔に離間した特定の位置における指標とされ、前記投与量セレクターの回転は、前記投与量セレクターと前記ハウジングとの間の相互作用に起因してクリック及び触覚フィードバックを生成する、請求項１〜６のいずれか１項に記載の投与量送出装置。
【請求項８】
前記投与量セレクターと前記ドライバーとの間にラチェットが設けられている、請求項１に記載の投与量送出装置。
【請求項９】
前記投与量を注射するときにクリック音を生成する一方向ラチェットが、前記ピストンロッドに回転結合されている、請求項１〜４のいずれか１項に記載の投与量送出装置。
【請求項１０】
投与量設定中には前記ハウジングに対して回転係止され、且つ注射中には少なくとも一方向に係止解除されるアイテムが、前記ピストンロッドに回転結合されている、請求項１に記載の投与量送出装置。
【請求項１１】
前記数字付きの目盛りドラムは、前記押しボタンが押されるとラチェットに回転結合する、請求項３に記載の投与量送出装置。
【請求項１２】
非回転窓が、軸線方向に移動可能であり、投与量を設定及び注射するときに前記ドライバーとは反対方向へ軸線方向に移動するように、ねじ山を介して前記数字付きの目盛りドラムに係合する、請求項３に記載の投与量送出装置。
【請求項１３】
前記設定した投与量に対応する表示される数字を拡大する拡大レンズを更に備える、請求項１〜１２のいずれか１項に記載の投与量送出装置。
【手続補正書】
【提出日】平成25年11月8日(2013.11.8)
【手続補正１】
【補正対象書類名】特許請求の範囲
【補正対象項目名】請求項１０
【補正方法】変更
【補正の内容】
【請求項１０】
前記負インピーダンス回路は、
ａ）補償インピーダンス値と、第１端子および第２端子とを有する補償インピーダンスを含み、前記第１端子は前記電流バッファ出力部に接続されており、
ｂ）補償増幅器入力部および補償増幅器出力部および利得を有する補償増幅器をさらに含み、前記補償増幅器入力部は前記電圧バッファ出力部に接続されており、前記補償増幅器出力部は、前記インピーダンスに流す補償電流を提供するために前記補償インピーダンスの前記第２端子に接続されており、前記利得および前記補償インピーダンスの値は、前記補償電流が漏洩電流と同じ大きさを有することができるよう、寄生インピーダンス値に基づいて選択される、請求項７〜９のいずれか一項に記載の装置。
【手続補正２】
【補正対象書類名】特許請求の範囲
【補正対象項目名】請求項１２
【補正方法】変更
【補正の内容】
【請求項１２】
前記装置は、
ａ）各々が前記電極での電圧を表す電圧信号を提供する複数の信号伝送回路と、
ｂ）少なくとも１つのセンサと、
ｃ）前記少なくとも１つのセンサを前記複数の信号伝送回路のうちの１つに選択的に接続することで、前記センサが対応するする前記電極における電圧を表す前記電圧信号を検知できるようにする、少なくとも１つの第２マルチプレクサと、を含む請求項１〜１１のいずれか一項に記載の装置。
【手続補正３】
【補正対象書類名】特許請求の範囲
【補正対象項目名】請求項１５
【補正方法】変更
【補正の内容】
【請求項１５】
少なくとも１つの信号源は接地されている、請求項１〜１４のいずれか一項に記載の装置。
【手続補正４】
【補正対象書類名】特許請求の範囲
【補正対象項目名】請求項１９
【補正方法】変更
【補正の内容】
【請求項１９】
電流多重化システムであって、
ａ）少なくとも１つの入力部と複数の出力部とを有する複数の電流マルチプレクサを備え、
ｂ）各々が一定の大きさと周波数を有する第１および第２交流定電流源をさらに備え、前記第２定電流源は前記第１定電流源を補完するものであり、前記第１および第２定電流源の各々は電流マルチプレクサの入力部に接続されており、
ｃ）複数の電流伝送回路をさらに備え、前記電流伝送回路の各々は入力部と、電流出力部と、電圧出力部とを有し、前記電流伝送回路の入力部の各々は電流マルチプレクサの出力部に接続されており、
ｄ）複数の電極をさらに備え、前記複数の電極の各々は前記複数の電流伝送回路のうちの１つの電流出力部に接続されており、
ｅ）複数の入力部と少なくとも１つの出力部とを有する少なくとも１つの電圧マルチプレクサをさらに備え、
ｆ）前記各電流伝送回路は、
ｉ）入力部および出力部を有する電流コンベアを備え、前記電流コンベアの入力部は前記電流伝送回路の入力部に接続され、前記電流コンベアの出力部は前記電流伝送回路の電流出力部に接続されており、
ｉｉ）入力部および出力部を有する電圧バッファをさらに備え、前記電圧バッファの入力部は前記電流伝送回路の電流出力部に接続され、前記電圧バッファの出力部は前記電流伝送回路の電圧出力部に接続されており、
ｉｉｉ）前記電圧バッファの出力部と前記電流コンベアの入力部との間に接続された積分器をさらに備え、
ｉｖ）前記電圧バッファの出力部と前記電流コンベアの出力部との間に接続された負インピーダンス回路をさらに備え、前記負インピーダンス回路は、
（１）補償インピーダンス値と、第１端子と、第２端子とを有する補償インピーダンスを備え、前記第１端子は前記電流コンベアの出力に接続されており、
（２）補償増幅器入力部と、補償増幅器出力部と、利得とを有する補償増幅器をさらに備え、前記補償増幅器入力部は前記電圧バッファの出力部に接続され、前記補償増幅器出力部は、前記補償インピーダンスに流す補償電流を提供するべく、前記補償インピーダンスの前記第２端子に接続されており、前記利得値と前記補償インピーダンス値は、前記補償電流が漏洩電流と同じ大きさを有するように、寄生インピーダンス値に基づいて選択される、電流多重化システム。
【手続補正５】
【補正対象書類名】特許請求の範囲
【補正対象項目名】請求項２５
【補正方法】変更
【補正の内容】
【請求項２５】
生体被験者にインピーダンス測定を実行する装置であって、前記装置は、
ａ）被験者に信号を印加するための信号源と、
ｂ）前記被験者からの信号を検知するセンサと、
ｃ）前記信号源を制御し、前記センサからの信号を受信するための処理システムと、
ｄ）少なくとも１つの信号伝送回路とを含み、前記信号伝送回路は、
ｉ）第１バッファを含み、前記第１バッファは、
（１）信号源からの信号を受信するための第１バッファ入力部と、
（２）前記被験者に取り付けた電極に駆動信号を供給する第１バッファ出力部とを有
し、
ｉｉ）第２バッファをさらに含み、前記第２バッファは、
（１）前記第１バッファ出力部に接続された第２バッファ入力部と、
（２）前記電極での信号を表す検知信号をセンサに提供する第２バッファ出力部とを有する、被験者にインピーダンス測定を実行する装置。
【手続補正６】
【補正対象書類名】明細書
【補正対象項目名】発明の名称
【補正方法】変更
【補正の内容】
【発明の名称】患者−電極間測定のための装置およびシステム
【手続補正書】
【提出日】平成25年11月13日(2013.11.13)
【手続補正１】
【補正対象書類名】特許請求の範囲
【補正対象項目名】全文
【補正方法】変更
【補正の内容】
【特許請求の範囲】
【請求項１】
モノマーの形態で存在する1価の融合ポリペプチドであって、
(i)抗体の重鎖可変領域を含む第1のドメイン(VH)または抗原結合を仲介する少なくとも1つのその区画、
(ii)抗体の軽鎖可変領域を含む第2のドメイン(VL)または抗原結合を仲介する少なくとも1つのその区画、および
(iii)抗体の重鎖定常領域の区画を含む第3のドメイン(CHX)
を含み、
ドメイン(iii)が、80から130個までのアミノ酸残基の長さを有し、
ドメイン(i)、(ii)および(iii)が、ペプチドリンカー(L)を介して共に連結しており、
前記ペプチドリンカー(L)がそれぞれ独立に、25から45個までのアミノ酸残基の長さを有し、第1、第2および第3のドメインのアミノ酸配列に非相同な配列からなり、前記融合ポリペプチドが、分子間ジスルフィド架橋を形成せず、抗体のヒンジ領域を含まない、
1価の融合ポリペプチド。
【請求項２】
構造
VH-L-VL-L-CHX、または
VL-L-VH-L-CHX
を含む、請求項1に記載の融合ポリペプチド。
【請求項３】
ドメイン(i)、(ii)および(iii)がそれぞれ、80から130個までのアミノ酸残基の長さを有する、請求項1または2に記載の融合ポリペプチド。
【請求項４】
ドメイン(iii)が、抗体の、好ましくは、クラスIgG、IgM、IgEおよびIgAのヒト抗体の区画CH1、CH2、CH3およびCH4、またはこれらの区画の組合せから選択される、請求項1から3のいずれか一項に記載の融合ポリペプチド。
【請求項５】
前記ペプチドリンカーが、それぞれ独立に、30から40個までのアミノ酸残基の長さを有する、ならびに/あるいは少なくとも90%のグリシンおよび/またはセリン残基からなる、請求項1から4のいずれか一項に記載の融合ポリペプチド。
【請求項６】
少なくとも1つのさらなるドメイン、例えば、シグナルペプチドおよび/またはペプチドタグを有する、請求項1から5のいずれか一項に記載の融合ポリペプチド。
【請求項７】
配列番号1(VL)、配列番号2(VH)、配列番号4(VH、VL)、配列番号8(IgG-CH1)、配列番号10(IgG-CH2)、配列番号12(IgG-CH3)、配列番号14(IgA-CH2)、配列番号16(IgA-CH3)、配列番号18(IgM-CH2)、配列番号20(IgM-CH3)または配列番号22(IgM-CH4)に記載の対応するドメインとアミノ酸レベルで、少なくとも90%の同一性、好ましくは、少なくとも95%の同一性を有する1つまたは複数のドメインVH、VLおよび/またはCHXを有する、請求項1から6のいずれか一項に記載の融合ポリペプチド。
【請求項８】
グリコシル化位置の少なくとも1個のアスパラギン残基が、異なるアミノ酸残基、好ましくは、セリン、アラニンまたはグリシンによって置換されている、ならびに/あるいは少なくとも1個のシステイン残基が、異なるアミノ酸残基、好ましくは、セリン、アラニンまたはグリシンによって置換されている、請求項1から7のいずれか一項に記載の融合ポリペプチド。
【請求項９】
任意選択により、発現調節配列と作動可能に連結している、請求項1から8のいずれか一項に記載の融合ポリペプチドをコードする核酸。
【請求項１０】
選定された宿主細胞、例えば、大腸菌などの細菌中での発現に関してコドン最適化された、請求項9に記載の核酸。
【請求項１１】
請求項9または10に記載の核酸を含有する、宿主細胞。
【請求項１２】
請求項11に記載の宿主細胞を培養するステップ、および、前記細胞または培養上清から融合ポリペプチドを得るステップを含む、請求項1から8のいずれか一項に記載の融合ポリペプチドの調製方法。
【請求項１３】
診断試験または生化学的試験における試薬としての、好ましくは、
(i)対照もしくはキャリブレータ試薬としての、または
(ii)分析物を決定するための試験試薬としての、請求項1から8のいずれか一項に記載の融合ポリペプチドの使用。
【請求項１４】
医学において、例えば、人間医学または獣医学において使用するための、請求項1から8のいずれか一項に記載の融合ポリペプチド、請求項9もしくは10に記載の核酸、または請求項11に記載の宿主細胞。
【請求項１５】
薬学的に適切な担体物質と共に、請求項1から8のいずれか一項に記載の融合ポリペプチド、請求項9もしくは10に記載の核酸、または請求項11に記載の宿主細胞を含む、医薬組成物。
【手続補正書】
【提出日】平成25年11月27日(2013.11.27)
【手続補正１】
【補正対象書類名】特許請求の範囲
【補正対象項目名】全文
【補正方法】変更
【補正の内容】
【特許請求の範囲】
【請求項１】
ＳＥＱ  ＩＤ  ＮＯ：６のアミノ酸配列を含む、１５アミノ酸未満の単離されたオリゴペプチド。
【請求項２】
１個、２個または数個のアミノ酸が置換、欠失、挿入および／または付加されたＳＥＱ  ＩＤ  ＮＯ：６のアミノ酸配列を含む、１５アミノ酸未満の単離されたオリゴペプチドであって、さらに細胞傷害性Ｔリンパ球（ＣＴＬ）誘導能を有するオリゴペプチド。
【請求項３】
以下の特徴の一方または両方を有する、請求項２記載のオリゴペプチド：
（ａ）ＳＥＱ  ＩＤ  ＮＯ：６のＮ末端から２番目のアミノ酸がメチオニンに置換されている、および
（ｂ）ＳＥＱ  ＩＤ  ＮＯ：６のＣ末端のアミノ酸がロイシンに置換されている。
【請求項４】
ＳＥＱ  ＩＤ  ＮＯ：６のアミノ酸配列からなる、請求項１記載のオリゴペプチド。
【請求項５】
請求項１〜４のいずれか一項記載のペプチドをコードする、単離されたポリヌクレオチド。
【請求項６】
以下からなる群より選択される段階を含む、ＣＴＬ誘導能を有する抗原提示細胞をインビトロで誘導するための方法：
（ａ）抗原提示細胞を請求項１〜４のいずれか一項記載のオリゴペプチドと接触させる段階、および
（ｂ）請求項１〜４のいずれか一項記載のオリゴペプチドをコードするポリヌクレオチドを抗原提示細胞に導入する段階。
【請求項７】
抗原提示細胞が少なくとも１種のＨＬＡ−Ａ２抗原をその表面上に発現する、請求項６記載の方法。
【請求項８】
以下からなる群より選択される段階を含む、ＣＴＬをインビトロで誘導するための方法：
（ａ）ＣＤ８陽性Ｔ細胞を、請求項１〜４のいずれか一項記載のオリゴペプチドとＨＬＡ抗原との複合体をその表面上に提示する抗原提示細胞および／またはエキソソームと接触させる段階、ならびに
（ｂ）細胞表面上の請求項１〜４のいずれか一項記載のオリゴペプチドとＨＬＡ抗原との複合体と結合するＴ細胞受容体（ＴＣＲ）サブユニットを形成することができるポリペプチドをコードするポリヌクレオチドを、ＣＤ８陽性Ｔ細胞に導入する段階。
【請求項９】
ＨＬＡ抗原がＨＬＡ−Ａ２である、請求項８記載の方法。
【請求項１０】
請求項１〜４のいずれか一項記載のオリゴペプチドを標的とする、単離されたＣＴＬ。
【請求項１１】
細胞表面上の請求項１〜４のいずれか一項記載のオリゴペプチドとＨＬＡ抗原との複合体と結合することができる、請求項１０記載のＣＴＬ。
【請求項１２】
ＨＬＡ抗原がＨＬＡ−Ａ２である、請求項１１記載のＣＴＬ。
【請求項１３】
請求項１〜４のいずれか一項記載のオリゴペプチドを用いることによって誘導される、単離されたＣＴＬ。
【請求項１４】
請求項８または９記載の方法によって誘導される、請求項１３記載のＣＴＬ。
【請求項１５】
その表面上に、ＨＬＡ抗原と請求項１〜４のいずれか一項記載のオリゴペプチドとの複合体を提示する、単離された抗原提示細胞。
【請求項１６】
ＨＬＡ抗原がＨＬＡ−Ａ２である、請求項１５記載の抗原提示細胞。
【請求項１７】
請求項６または７記載の方法によって誘導される、請求項１５または１６記載の抗原提示細胞。
【請求項１８】
対象におけるがんに対する免疫応答を誘導するワクチンであって、以下からなる群より選択される少なくとも１つの有効成分を含むワクチン：
（ａ）請求項１〜４のいずれか一項記載の１種もしくは複数種のオリゴペプチド；
（ｂ）請求項１〜４のいずれか一項記載のオリゴペプチドをコードする１種もしくは複数種のポリヌクレオチド；
（ｃ）請求項１０〜１４のいずれか一項記載の１種または複数種の単離されたＣＴＬ；および
（ｄ）請求項１５〜１７のいずれか一項記載の１種または複数種の単離された抗原提示細胞。
【請求項１９】
前記対象がＨＬＡ−Ａ２陽性である、請求項１８記載のワクチン。
【請求項２０】
がんの治療および／もしくは予防のためならびに／またはその術後再発の予防のための薬剤であって、薬学的に許容される担体と以下からなる群より選択される少なくとも１つの有効成分とを含む薬剤：
（ａ）請求項１〜４のいずれか一項記載の１種もしくは複数種のオリゴペプチド；
（ｂ）請求項１〜４のいずれか一項記載の少なくとも１種のオリゴペプチドをコードする１種または複数種のポリヌクレオチド；
（ｃ）請求項１〜４のいずれか一項記載のオリゴペプチドとＨＬＡ抗原との複合体をその表面上に提示する１種または複数種の抗原提示細胞；および
（ｄ）細胞表面上の請求項１〜４のいずれか一項記載のオリゴペプチドとＨＬＡ抗原との複合体と結合することができる、１種または複数種のＣＴＬ。
【請求項２１】
ＣＴＬを誘導するための薬剤であって、薬学的に許容される担体と以下からなる群より選択される少なくとも１つの有効成分とを含む薬剤：
（ａ）請求項１〜４のいずれか一項記載の１種もしくは複数種のオリゴペプチド；
（ｂ）請求項１〜４のいずれか一項記載の少なくとも１種のオリゴペプチドをコードする１種または複数種のポリヌクレオチド；
（ｃ）請求項１〜４のいずれか一項記載のオリゴペプチドとＨＬＡ抗原との複合体をその表面上に提示する１種または複数種の抗原提示細胞。
【請求項２２】
ＨＬＡ−Ａ２陽性である対象への投与のために製剤化される、請求項２０または２１記載の薬剤。
【手続補正２】
【補正対象書類名】明細書
【補正対象項目名】００９９
【補正方法】変更
【補正の内容】
【００９９】
（３）免疫応答を誘導する方法
本発明はさらに、対象において、肺がんおよび食道がんなどのがんに対する免疫応答を誘導するための方法を提供する。本方法は、以下のものを含む、本発明のワクチンの投与を含む：
（ａ）本発明の１種もしくは複数種のオリゴペプチドもしくはその免疫学的活性断片；
（ｂ）（ａ）のオリゴペプチドもしくは免疫学的活性断片をコードする１種もしくは複数種のポリヌクレオチド；
（ｃ）本発明の１種もしくは複数種の単離されたＣＴＬ；
（ｄ）本発明の１種もしくは複数種の単離された抗原提示細胞；または
（ｅ）単離され、ＴＣＲをコードする遺伝子によって形質転換された、１種もしくは複数種のＴ細胞。
【手続補正書】
【提出日】平成25年11月25日(2013.11.25)
【手続補正１】
【補正対象書類名】特許請求の範囲
【補正対象項目名】全文
【補正方法】変更
【補正の内容】
【特許請求の範囲】
【請求項１】
合成キメラタンパク質の形態にある、単離されたタンパク質複合体であって、
（ｉ）増殖因子、または少なくとも同族増殖因子受容体と結合することができる前記増殖因子のドメイン、および
（ｉｉ）少なくともフィブロネクチン（ＦＮ）のインテグリン結合ドメインを含むＦＮの１つ以上のＩＩＩ型ドメイン
のアミノ酸配列を含む単離されたタンパク質複合体。
【請求項２】
前記増殖因子がインスリン様増殖因子−Ｉ（ＩＧＦ−Ｉ）、インスリン様増殖因子−ＩＩ（ＩＧＦ−ＩＩ）、上皮細胞増殖因子（ＥＧＦ）、塩基性線維芽細胞増殖因子（ｂＦＧＦ）およびケラチノサイト増殖因子（ＫＧＦ）から選択される、請求項１に記載の単離されたタンパク質複合体。
【請求項３】
前記インテグリン結合ドメインがα１インテグリン結合ドメインまたはα４インテグリン結合ドメインである、請求項１または２に記載の単離されたタンパク質複合体。
【請求項４】
前記ＦＮの１つ以上のＩＩＩ型ドメインがＦＮ配列（配列番号１）のアミノ酸１２６６〜１５３６を含む、請求項１または２に記載の単離されたタンパク質複合体。
【請求項５】
前記ＦＮの１つ以上のＩＩＩ型ドメインがＦＮ配列（配列番号１）のアミノ酸１４４７〜１５３６を含む、請求項１または２に記載の単離されたタンパク質複合体。
【請求項６】
前記ＦＮの１つ以上のＩＩＩ型ドメインがＦＮ配列（配列番号１）のアミノ酸１１７３〜１５３６を含む、請求項１または２に記載の単離されたタンパク質複合体。
【請求項７】
ＩＧＦＢＰアミノ酸配列を含まない、請求項１〜６のいずれか一項に記載の単離されたタンパク質複合体。
【請求項８】
ＦＮの付加的断片をさらに含む、請求項１〜７のいずれか一項に記載の単離されたタンパク質複合体。
【請求項９】
前記ＦＮの付加的断片がＦＮ配列（配列番号１）のアミノ酸５０〜２７３を含む、請求項８に記載の単離されたタンパク質複合体。
【請求項１０】
前記ＦＮの付加的断片がＦＮ配列（配列番号１）のアミノ酸１８４〜２７３を含む、請求項８に記載の単離されたタンパク質複合体。
【請求項１１】
少なくとも１つのリンカー配列をさらに含む、請求項１〜１０のいずれか一項に記載の単離されたタンパク質複合体。
【請求項１２】
前記リンカー配列がプロテアーゼ切断部位を含む、請求項１１に記載の単離されたタンパク質複合体。
【請求項１３】
前記リンカー配列が
（ｉ）Ｇｌｙ４  Ｓｅｒ（配列番号７）、
（ｉｉ）Ｇｌｙ４  Ｓｅｒ３（配列番号８）、
（ｉｉｉ）（Ｇｌｙ４  Ｓｅｒ）３（配列番号９）、
（ｉｖ）（Ｇｌｙ４  Ｓｅｒ）４（配列番号１０）、
（ｖ）Ｌｅｕ  Ｉｌｅ  Ｌｙｓ  Ｍｅｔ  Ｌｙｓ  Ｐｒｏ（配列番号１１）、および
（ｖｉ）Ｇｌｎ  Ｐｒｏ  Ｇｌｎ  Ｇｌｙ  Ｌｅｕ  Ａｌａ  Ｌｙｓ（配列番号１２）からなる群から選択される、請求項１１に記載の単離されたタンパク質複合体。
【請求項１４】
請求項１〜１３のいずれか一項に記載の単離されたタンパク質複合体をコードする、単離された核酸。
【請求項１５】
ベクターにおいて１つ以上の調節ヌクレオチド配列に作動可能に連結された請求項１４に記載の単離された核酸を含む、遺伝子構築物。
【請求項１６】
前記単離された核酸がプロモーターに作動可能に連結されている発現構築物である、請求項１５に記載の遺伝子構築物。
【請求項１７】
請求項１５に記載の遺伝子構築物を含む、宿主細胞。
【請求項１８】
請求項１〜１３のいずれか一項に記載の単離されたタンパク質複合体と、薬学上許容される担体、希釈剤または賦形剤とを含む、医薬組成物。
【請求項１９】
請求項１〜１３のいずれか一項に記載の単離されたタンパク質複合体を、含浸、または被覆、あるいは他の方法で含ませた外科用インプラント、スキャフォールドまたは人工補綴物。
【請求項２０】
請求項１〜１３のいずれか一項に記載の単離されたタンパク質複合体を含む、創傷用または火傷用包帯。
【請求項２１】
in situで細胞の遊走および増殖のうち少なくともいずれか一方を促進するための医薬の製造における請求項１〜１３のいずれか一項に記載の単離されたタンパク質複合体の使用。
【請求項２２】
前記細胞が上皮細胞である、請求項２１に記載の使用。
【請求項２３】
in vitroで細胞の遊走および増殖のうち少なくともいずれか一方を促進する方法であって、１つ以上の細胞または組織を請求項１〜１３のいずれか一項に記載の単離されたタンパク質複合体をと接触させることを含む方法。